(57)【要約】【課題】  背凭れ部の組み付けが簡単に行え、それぞれ機種が異なっても製造コストが安価となる施療装置を提供する。【解決手段】  座部と、背凭れ部と、エアバッグＡ１〜Ａ６と、給排気装置とを有する椅子式施療装置であって、前記背凭れ部は、枠体ユニットと、この枠体ユニットに取り付けられる上バックボードユニットと下バックボードユニットとから構成され、施療子を有し且つ枠体に沿って上下動可能な移動ユニット５０を備え、上バッグボードユニットは、移動ユニットの移動空間を確保する第１上バッグボードユニット３０と、エアバッグが取り付けられた第２上バッグボードユニットとを有し、下バッグボードユニットは、移動ユニット５０の移動空間を確保する第１下バッグボードユニットと、エアバッグＡ１〜Ａ６が取り付けられた第２下バッグボードユニット４０とを有し、移動ユニット５０と、第１,第２上,下バッグボードユニットとのうちから所望のユニットを前記枠体ユニットに組み付ける。【選択図】  図３
2005211508.tif 000002
【特許請求の範囲】
【請求項１】
座部と、背凭れ部と、膨縮によって施療を行うエアバッグと、このエアバッグを膨縮させる給排気装置とを有する椅子式施療装置であって、
前記背凭れ部は、枠体ユニットと、この枠体ユニットの上部に取り付けられる上バックボードユニットと、その枠体の下部に取り付けられる下バックボードユニットとから構成され、
背中を押圧する施療子を有し且つ前記枠体ユニットに取り付けられるとともにその枠体に沿って上下動可能な移動ユニットを備え、
前記上バッグボードユニットは、前記移動ユニットの移動空間を確保する第１上バッグボードユニットと、前記エアバッグが取り付けられた第２上バッグボードユニットとのうち少なくとも１つを有し、
前記下バッグボードユニットは、前記移動ユニットの移動空間を確保する第１下バッグボードユニットと、前記エアバッグが取り付けられた第２下バッグボードユニットとのうち少なくとも１つを有し、
前記移動ユニットと、第１,第２上バッグボードユニットのうちの少なくとも１つと、第１,第２下バッグボードユニットのうちの少なくとも１つとのうちから所望のユニットを前記枠体ユニットに組み付けたことを特徴とする椅子式施療装置。
【発明の詳細な説明】
【技術分野】
【０００１】
この発明は、ユニット化を図った椅子式施療装置に関する。
【背景技術】
【０００２】
従来から、座部と背凭れ部とこの背凭れ部に上下動自在に設けられるとともにローラを有するマッサージ機構とを備えた椅子式のマッサージ装置が知られている（特許文献１参照）。
【０００３】
かかるマッサージ装置は、着座者の背中が当接するカバー部材と、カバー部材によって包囲された樹脂フレームと、この樹脂フレームが取り付けられる骨格フレームとで背凭れ部を構成し、骨格フレームの側部縦フレームに前記マッサージ機構が上下動自在に設けられている。このマッサージ機構のローラによってマッサージを行うようになっている。
【０００４】
また、背凭れ部に複数のエアバッグを設け、これらエアバッグの膨縮によってマッサージを行うマッサージ装置が知られている（特許文献２参照）。
【０００５】
かかるマッサージ装置は、背凭れフレームにボードを取り付け、このボードに複数のエアバッグを設けたものである。
【特許文献１】特開２０００−３３４０１６号公報
【特許文献２】特開２００２−３１５８００号公報
【発明の開示】
【発明が解決しようとする課題】
【０００６】
上記のように、上下動自在なマッサージ機構（移動機構）を有する前者のマッサージ装置と、エアバッグの取り付け位置を固定した後者のマッサージ装置とではそれぞれ別個の構成となっている。さらに、それらを複合したマッサージ装置を製作する場合、また、別な設計をして製作しなければならない。このように、背凭れ部に移動機構だけを設けた機種のマッサージ装置（施療装置）と、背凭れ部にエアバッグだけを設けた機種のマッサージ装置（施療装置）と、背凭れ部に移動機構とエアバッグとを設けた機種のマッサージ装置（施療装置）を製作する場合、それぞれ背凭れ部を別個に製作しなければならないので、コストがかかる等の問題があった。さらに、背凭れ部の組み付けが面倒である等の問題があった。
【０００７】
この発明の目的は、背凭れ部の組み付けが簡単に行え、それぞれ機種が異なっても製造コストが安価となる施療装置を提供することにある。
【課題を解決するための手段】
【０００８】
請求項１の発明は、座部と、背凭れ部と、膨縮によって施療を行うエアバッグと、このエアバッグを膨縮させる給排気装置とを有する椅子式施療装置であって、
前記背凭れ部は、枠体ユニットと、この枠体ユニットの上部に取り付けられる上バックボードユニットと、その枠体の下部に取り付けられる下バックボードユニットとから構成され、
背中を押圧する施療子を有し且つ前記枠体ユニットに取り付けられるとともにその枠体に沿って上下動可能な移動ユニットを備え、
前記上バッグボードユニットは、前記移動ユニットの移動空間を確保する第１上バッグボードユニットと、前記エアバッグが取り付けられた第２上バッグボードユニットとのうち少なくとも１つを有し、
前記下バッグボードユニットは、前記移動ユニットの移動空間を確保する第１下バッグボードユニットと、前記エアバッグが取り付けられた第２下バッグボードユニットとのうち少なくとも１つを有し、
前記移動ユニットと、第１,第２上バッグボードユニットのうちの少なくとも１つと、第１,第２下バッグボードユニットのうちの少なくとも１つとのうちから所望のユニットを前記枠体ユニットに組み付けたことを特徴とする。
【発明の効果】
【０００９】
この発明によれば、背凭れ部の組み付けが簡単に行え、また、移動ユニットと、各上,下バッグボードユニットとのうちから所望のユニットを前記枠体ユニットに組み付けるものであるから、その組み合わせを変えるだけで機種を変えることができ、異なる機種の施療装置を安価に製作することができる。
【発明を実施するための最良の形態】
【００１０】
以下、この発明に係る椅子式の施療装置（マッサージ装置）の実施例を図面に基づいて説明する。
【実施例】
【００１１】
図１に示す椅子式の施療装置１０は、座部１１と、この座部１１の後ろに設けたリクライニングが可能な背凭れ部１２と、座部１１の前に設けた上下回動可能なオットマン１３と、座部１１の両側に設けたアームレスト部１４,１５と、後述するエアバッグ（施療手段）Ａ１〜Ａ６を膨縮させる給排気装置７０と、施療（マッサージ）モードの設定やその他各種の操作を行うリモートコントロール装置（リモコン）１００等とを備えている。
【００１２】
背凭れ部１２は、図２および図３に示すように、枠体ユニット２０と、この枠体ユニット２０の上部に取り付けられる上バックボードユニット３０と、その枠体の下部に取り付けられる下バックボードユニット４０と、上下動可能な移動ユニット５０等とから構成されている。
［枠体ユニット］
枠体ユニット２０は、図２および図１６に示すように、上下に延びるとともに左右に配置された一対の支柱２１,２１と、この支柱２１,２１の上部に設けられるとともに左右に延びたコ字状のフレーム２２と、支柱２１,２１の下部に設けられるとともに左右に延びたコ字状のフレーム２３と、フレーム２２,２３間に着脱自在に取り付けられるとともに上下に延びた一対のシャフト２４,２５とを有している。シャフト２４,２５には所定の長さに亘ってネジが形成されている。
【００１３】
また、支柱２１,２１の中間位置にはコ字状のブラケット２６,２６が固定され、ブラケット２６,２６の側壁部２６Ａ,２６Ａにはそれぞれ一対のネジ孔２６ａ,２６ｂが形成されている。同様に、フレーム２２,２３の側壁部２２Ａ,２３Ａの両端部にそれぞれネジ孔２２ａ,２３ａが形成されている。
［上バックボードユニット］
上バックボードユニット（第１上バックボードユニット）３０は、図４および図５に示すように、ほぼ逆Ｕ字形を呈した受板部３１と、この受板部３１の内側となる端部に連続形成されるとともに後方へ突出した内側壁部３２と、受板部３１の外側となる端部に連続形成されるとともに後方へ突出した外側壁部３３とを有している。そして、受板部３１と内側壁部３２と外側壁部３３とで断面形状がコ字状になっており、内側壁部３２で囲まれる空間が移動ユニット５０の移動空間となっている。また、受板部３１の裏面の上部には後方へ延びたネジボス３４,３４が設けられている。
【００１４】
内側壁部３２の両端下部の外面には下方に突出したＬ字形の連結部３５,３６が設けられており、この連結部３５,３６の一方の当接片３５Ａ,３６Ａに後方へ突出したネジボス３７,３８が設けられている。
［下バックボードユニット］
下バッグボードユニット（第２下バッグボードユニット）４０は、図６および図７に示すように、平板状の平板受部４１とこの平板受部４１の両側部に後方へ突出した側壁部４２,４３とを有している。そして、平板受部４１の裏面４１Ａの上部と下部にそれぞれ一対のネジボス４４,４５がそれぞれ設けられている。
【００１５】
平板受部４１の表面には図３に示すようにエアバッグＡ１〜Ａ６が取り付けられている。
［移動ユニット］
移動ユニット５０は、ボックス５１内に設けた昇降機構５２（図８参照）と人体を押圧する施療手段６０（図１０参照）とを有している。
［昇降機構］
昇降機構５２は、図８に示すように、枠体ユニット２０のシャフト２４,２５に螺合した昇降筒５３,５４と、この昇降筒５３,５４の外周に形成したギア５３Ａ,５４Ａに噛合したウオーム５５,５６と、ウオーム５５を回転させるモータＭ１等とから構成されている。
【００１６】
昇降筒５３は、図９に示すようにボックス５１に固定されたコ字状のブラケットＢに回転自在に保持されている。同様に、昇降筒５４も図示しないブラケットに回転自在に保持されている。
【００１７】
モータＭ１の駆動軸Ｍａには、ウオーム５５および駆動ギア５７が装着されており、この駆動ギア５７は中間ギア５８に噛合している。中間ギア５８はボックス５１に回転自在に保持されている。また、ウオーム５６は回転自在にボックス５１に保持されており、ウオーム５６の軸５６Ａには従動ギア５９が装着され、この従動ギア５９が中間ギア５８に噛合している。
【００１８】
そして、モータＭ１の駆動により駆動ギア５７が駆動軸Ｍａとともに回転していくと、従動ギア５９が中間ギア５８を介して駆動ギア５７と同方向に回転していく。その従動ギア５９の回転数が駆動ギア５７の回転数と同一となるように各ギア５７〜５９の径が同一に設定されている。そして、従動ギア５７の回転によりウオーム５６が回転していく。すなわち、ウオーム５５,５６は同方向に同一の回転数で回転していく。
【００１９】
ウオーム５５,５６の回転により昇降筒５３,５４が回転してシャフト２４,２５に沿って昇降し、この昇降筒５３,５４の昇降によってボックス５１すなわち移動ユニット５０が昇降する。
［施療手段］
施療手段６０は、図１０に示すように、ボックス５１の前壁部５１Ａに設けた孔５１ａ,５１ａ内に配置されたロッド６１,６１と、このロッド６１,６１の先端部に設けた揉み玉（施療子）６２,６２と、ロッド６１,６１を前方へ突出させるソレノイド６３,６３等とから構成されている。ソレノイド６３,６３はボックス５１に固定されている。
【００２０】
ソレノイド６３,６３が通電されるとロッド６１,６１が図１０の実線位置から前方へ所定量だけ移動して揉み玉６２,６２が人体の所望位置を押圧するようになっている。ソレノイド６３,６３が非通電状態にされるとロッド６１,６１は元の位置（実線位置）に戻る。
［組み付け］
先ず最初に移動ユニット５０を枠体ユニット２０に組み付ける。この組み付けは、枠体ユニット２０のシャフト２４,２５を外し、このシャフト２４,２５を移動ユニット５０のボックス５１の孔（図示せず）に通すとともに昇降筒５３,５４内の雌ねじ（図示せず）に螺合させて昇降筒５３,５４内を通す。これによりシャフト２４,２５に移動ユニット５０が取り付けられる。そして、このシャフト２４,２５を枠体ユニット２０に取り付ける。
【００２１】
次に、エアバッグＡ１〜Ａ６を取り付けた下バッグボードユニット４０を枠体ユニット２０の下部に組み付ける。
【００２２】
この組み付けは、図１１に示すように（なお、図１１において移動ユニット５０は省略してある。）、下バッグボードユニット４０のネジボス４４,４４を枠体ユニット２０のブラケット２６,２６にネジ孔２６ｂ,２６ｂ（図２参照）を介してネジＮ１,Ｎ１により固定する。そして、下バッグボードユニット４０のネジボス４５,４５を枠体ユニット２０のフレーム２３にネジ孔２３ａ,２３ａを介してネジＮ２,Ｎ２により固定する。これにより、枠体ユニット２０の下部に下バッグボードユニット４０が組み付けられることになる。
【００２３】
次に、上バッグボードユニット３０を枠体ユニット２０の上部に組み付ける。
【００２４】
この組み付けは、上バックボードユニット３０のネジボス３４,３４を枠体ユニット２０のフレーム２２にネジ孔２２ａ,２２ａ（図２参照）を介してネジＮ３,Ｎ３により固定し、上バックボードユニット３０のネジボス３７,３８を枠体ユニット２０のブラケット２６,２６にネジ孔２６ａ,２６ａを介してネジＮ４,Ｎ４により固定する。これにより、枠体ユニット２０の上部に上バッグボードユニット３０が組み付けられる。
【００２５】
この上バッグボードユニット３０の組み付けの際、上バックボードユニット３０の連結部３５,３６が下バッグボードユニット４０の平板受部４１および側壁部４２,４３の裏面に当接される。
【００２６】
そして、各ユニット３０,４０,５０を取り付けた枠体ユニット２０を座部１１の後部に装着し、各エアバッグＡ１〜Ａ６と給排気装置７０とをホース（図示せず）により接続し、背凭れ部１２にカバーを掛ける。
【００２７】
このように、枠体ユニット２０に移動ユニット５０と上バッグボードユニット３０と下バッグボードユニット４０とを組み付ければよいので、その組み付けは簡単に行え、背凭れ部１２を安価に製作することができる。
［給排気装置］
給排気装置７０は、図１２に示すように、エアーを給気するためのポンプ７１と、エアバッグＡ１〜Ａ６を膨縮させるための電磁弁Ｅ１〜Ｅ６と、各電磁弁Ｅ１〜Ｅ６とポンプ７１と駆動モータＭ１とソレノイド６３,６３等を制御する制御装置７２とを備えている。
【００２８】
そして、各電磁弁Ｅ１〜Ｅ６は三方弁であり、各電磁弁Ｅ１〜Ｅ６の弁が第１位置に切り換わるとエアバッグＡ１〜Ａ６とポンプ７１とが連通して各エアバッグＡ１〜Ａ６が膨張し、第２位置に切り換わるとその連通路が閉成されて各エアバッグＡ１〜Ａ６が膨張した状態に維持され、第３位置に切り換わると各エアバッグＡ１〜Ａ６は外気に連通されて排気が行われる。この排気により各エアバッグＡ１〜Ａ６は収縮していく。
【００２９】
制御装置７２は、リモコン装置１００の操作に基づいてモータＭ１を制御すると、移動ユニット５０が上下動していき、この移動ユニット５０の上下動とともにソレノイド６３,６３が通電されて、肩から背中にかけての部位が揉み玉６２,６２によって押圧されていく。また、リモコン装置１００の操作に基づいて各電磁弁Ｅ１〜Ｅ６が制御されて各エアバッグＡ１〜Ａ６が膨縮されて腰や背中の部分が押圧されて施療が行われる。
【００３０】
なお、移動ユニット５０の上下動の移動範囲は、例えばマイクロスイッチなどを設けて設定する。
［別な上バックボードユニット］
図１３は別な上バックボードユニット（第２上バックボードユニット）１３０を示したものであり、この上バックボードユニット１３０は、平板状の受板部１３１と、この受板部１３１の下部を除いた周囲に連続形成されるとともに後方へ突出した周壁部１３２と、受板部１３１の下部に設けられるとともに下方へ突出したＬ字状の一対の連結部１３５,１３６とを有している。
【００３１】
そして、受板部１３１の裏面の上部には後方へ延びた一対のネジボス１３４,１３４が設けられており、連結部１３５,１３６の一方の当接片１３５Ａ,１３６Ａに後方へ延びた一対のネジボス１３７,１３８が設けられている。
【００３２】
この上バックボードユニット１３０の受板部１３１の表面（前面）には図２０に示すようにエアバッグＡ７〜Ａ１０が設けられる。そして、この上バックボードユニット１３０は、上バックボードユニット３０と同様にして枠体ユニット２０の上部に組み付けるものである。
［別な下バックボードユニット］
図１４および図１５は別な下バックボードユニット（第１下バックボードユニット）１４０を示したものである。
【００３３】
この下バックボードユニット１４０は、ほぼＵ字形の受板部１４１と、この受板部１４１の内側となる端部に連続形成されるとともに後方へ突出したＵ字形の内側壁部１４２と、受板部１４１の外側となる端部に連続形成されるとともに後方へ突出した外側壁部１４３,１４３とを有している。そして、Ｕ字形の内側壁部１４２で囲まれる空間が移動ユニット５０の移動空間となっている。また、受板部１４１の裏面の上部には後方へ延びたネジボス１４４,１４４が設けられており、受板部１４１の裏面の下部には後方へ延びたネジボス１４５,１４５が設けられている。
【００３４】
この下バックボードユニット１４０は、下バックボードユニット４０と同様にして枠体ユニット２０の下部に組み付けるものである。
［組み合わせ］
図１６に示す枠体ユニット２０に図１７に示す上バッグボードユニット３０と下バックボードユニット１４０とを図１８に示すように組み付ければ、図１９に示すように、移動ユニット５０を大きく上下に移動させることが可能な背凭れ部２１２となる。この場合、エアバッグを使用せずに移動ユニット５０によって腰から肩の間を移動して所望の部位を施療することになる。この背凭れ部２１２ではエアバッグを使用しないので、座部１１やオットマン１３にエアバッグを設けなければ給排気装置７０のポンプ７１や電磁弁Ｅ１〜Ｅ６は不要となる。
【００３５】
図２０は、移動ユニット５０と上バックボードユニット１３０と下バッグボードユニット１４０とを枠体ユニット２０に組み付けた背凭れ部３１２を示したものである。この背凭れ部３１２では、移動ユニット５０が腰から背中までの間を移動することになる。また、背凭れ部３１２には４つのエアバッグＡ７〜Ａ１０を設けるだけなので、座部１１やオットマン１３にエアバッグを設けなければ給排気装置７０の電磁弁は４つだけでよいことになる。
【００３６】
図２１は、上バックボードユニット１３０と下バッグボードユニット４０とを枠体ユニット２０に組み付けた背凭れ部４１２を示したものである。この背凭れ部４１２では、エアバッグＡ１〜Ａ１０のみで腰から肩にかけて施療を行うものである。
【００３７】
このように、移動ユニット５０と２つの上バックボードユニット３０,１３０と２つの下バッグボードユニット４０,１４０とをそれぞれ組み合わせることにより４通りの背凭れ部１２,２１２,３１２,４１２を製作することができる。すなわち、２種類の上バックボードユニット３０,１３０と下バッグボードユニット４０,１４０とを用意しておけば、異なる４機種の施療装置を製作することができ、それぞれ異なる枠体ユニット２０や移動ユニット５０を製作する必要がないので、安価な施療装置を提供することができる。
【００３８】
さらに、背凭れ部を枠体ユニットと上バックボードユニットと下バッグボードユニットと移動ユニットとで構成したので、その背凭れ部の組み付けを簡単に行うことができ、このためさらに安価な施療装置を提供することができる。
【００３９】
上記実施例では、上バックボードユニット３０,１３０および下バッグボードユニット４０,１４０はそれぞれ２種類のものについて説明したが、これに限らず３種類以上あってもよい。
【図面の簡単な説明】
【００４０】
【図１】この発明に係る椅子式の施療装置の外観を示した斜視図である。
【図２】背凭れ部の枠体ユニットを示した斜視図である。
【図３】カバーを外した背凭れ部を示した斜視図である。
【図４】背凭れ部の上バッグボードユニットを示した斜視図である。
【図５】図４に示す上バッグボードユニットの背面から見た斜視図である。
【図６】背凭れ部の下バッグボードユニットを示した斜視図である。
【図７】図６に示す下バッグボードユニットの背面から見た斜視図である。
【図８】移動ユニットの昇降機構を示した説明図である。
【図９】図８の昇降機構の一部を示した説明図である。
【図１０】移動ユニットの施療手段の構成を示した説明図である。
【図１１】移動ユニットに上バッグボードユニットと下バッグボードユニットを組み付けた斜視図である。
【図１２】給排気装置の構成を示したブロック図である。
【図１３】別な上バッグボードユニットを示した斜視図である。
【図１４】別な下バッグボードユニットを示した斜視図である。
【図１５】図１４に示す下バッグボードユニットを背面から見た斜視図である。
【図１６】枠体ユニットを背面から見た斜視図である。
【図１７】上バッグボードユニットと別な下バッグボードユニットを示した斜視図である。
【図１８】枠体ユニットに上バッグボードユニットと別な下バッグボードユニットを組み付けた斜視図である。
【図１９】枠体ユニットに上バッグボードユニットと別な下バッグボードユニットを組み付けて正面から見た斜視図である。
【図２０】枠体ユニットに別な上バッグボードユニットと別な下バッグボードユニットを組み付けた斜視図である。
【図２１】枠体ユニットに別な上バッグボードユニットと下バッグボードユニットを組み付けた斜視図である。
【符号の説明】
【００４１】
１１            座部
１２            背凭れ部
２０            枠体ユニット
３０            上バッグボードユニット
４０            下バッグボードユニット
５０            移動ユニット
【図１】
2005211508.tif 000003
【図２】
2005211508.tif 000004
【図３】
2005211508.tif 000005
【図４】
2005211508.tif 000006
【図５】
2005211508.tif 000007
【図６】
2005211508.tif 000008
【図７】
2005211508.tif 000009
【図８】
2005211508.tif 000010
【図９】
2005211508.tif 000011
【図１０】
2005211508.tif 000012
【図１１】
2005211508.tif 000013
【図１２】
2005211508.tif 000014
【図１３】
2005211508.tif 000015
【図１４】
2005211508.tif 000016
【図１５】
2005211508.tif 000017
【図１６】
2005211508.tif 000018
【図１７】
2005211508.tif 000019
【図１８】
2005211508.tif 000020
【図１９】
2005211508.tif 000021
【図２０】
2005211508.tif 000022
【図２１】
2005211508.tif 000023